(57)【特許請求の範囲】
【請求項１】
少なくとも内面側に、マイナスイオン発生物質を含有してなる層を形成してある植物用散水ホース。
【請求項２】
前記層が、前記マイナスイオン発生物質を３〜２０ｗｔ％含有したゴム材料もしくは樹脂材料から形成されている請求項１に記載の植物用散水ホース。
【発明の詳細な説明】
【０００１】
【発明の属する技術分野】
本発明は、植物用散水ホースに関し、たとえばハウス栽培される果菜等に水を供給するのに常設される散水ホースや、家庭園芸等において蛇口から遠所に散水するために用いられる延長用ホース等に関する。
【０００２】
【従来の技術】
従来、この種の植物用散水ホースとしては、通常のゴムホースや樹脂ホースが用いられており、主に、耐久性、耐候性、柔軟性、等を考慮して適宜選択されたゴム、樹脂等の配合により作製されている。
【０００３】
【発明が解決しようとする課題】
近年、トルマリンに代表されるマイナスイオン発生物質の生体に及ぼす影響が注目されており、種々の用途、形態で提供されている。しかし、マイナスイオン発生物質の作用については、具体的には解明されていない面が多く、このようなマイナスイオン発生物質利用製品の効能については、具体的な製品個々に効果を奏するかどうかの検証が必要であり、マイナスイオン発生物質の効用を謳いながら実際には効用の無い製品が、市場に流通している実情にある。
【０００４】
【課題を解決するための手段】
そこで、本発明者らは、マイナスイオン発生物質を検討したところ、モナズ石及び鑞石の混合組成物（通称イオナイト（神戸電波（株）製）、以下単にイオナイトと称する）は、空気中にマイナスイオンを発生させるのみならず接触する水に対しても種々の影響を与えることを確認した。またさらに、このイオナイトに接触させた水が細胞活性化機能を有する事を確認し、この細胞活性化機能を利用し、イオナイトにより活性化された水を植物に供給すれば、植物の成長が促進されるのではないかと考え、イオナイトにより活性化された水を効率よく植物に供給する方法に想到し、その効用の著しいことを見出すに至った。
そこで、上記目的を達成するための本発明の特徴構成は、
少なくとも内面側に、イオナイトを含有してなる層を形成してある点に有る。尚、前記層は、前記イオナイトを３〜１０ｗｔ％含有したゴム材料もしくは樹脂材料から形成されている事が好ましい。
【０００５】
尚、本発明においては、上述の実情を鑑み、通常の室内環境に置かれた場合に、その環境のマイナスイオン量を有意に増加させる物質を特にマイナスイオン発生物質とよび、上述のイオナイトに限らず、（株）エコホリスティック社製マイナスイオンセラミックＭＰ−０２等のマイナスイオン発生物質であっても同様の効果を奏することを確認している。
【０００６】
〔作用効果〕
つまり、ホースの少なくとも内面側にイオナイトを含有してなる層を形成してあるから、そのホースに通水したときに、水は、前記層に接触し、その層に含まれるイオナイトからの影響を受けることになる。この水を植物に与え、その植物の成長度に対する効用を調べたところ、通常の水道水に比べ、このホースを通じた水は、植物の成長に大きく寄与していることが分かった。
【０００７】
尚、後述の実験例に基づけば、この植物用散水ホースの内面側の層として、イオナイトが基材に対して３％以上含有されていれば、イオナイトの含有されていないものとの有意な差がみられ始めることから、３％以上含有させておくことが好ましく、また、１０％以上含有させると、イオナイトの添加量増加に対する効果が次第に飽和し始め、また、イオナイトの添加によるコスト増も併せて、２０％以下とすることが好ましい。
また、ゴム材料、樹脂材料としては、たとえば、ＮＲ，ＰＶＣ，ＥＰＤＭ等が用いられる。
【０００８】
【発明の実施の形態】
以下に本発明の実施の形態を図面に基づいて説明する。
本発明の植物用散水ホースは、図１に示すように横断側面視で、ＰＶＣを主成分とする外面層１と、ビニロンからなる補強繊維を設けた補強層２と、ＥＰＤＭを主成分とする内面層３とを設けて一体に押し出し成形してある。
【０００９】
前記内面層は、ＥＰＤＭを主成分とするゴム材料にイオナイトの微粉末（粒径１００μ）を３ｗｔ％添加してあるものを用いる。
【００１０】
尚、前記イオナイトによるマイナスイオン発生量を測定すると、４３５５ｉｏｎ／ｍｌ程度の高濃度のマイナスイオンが発生していることが分り、通常の室内雰囲気の１６ｉｏｎ／ｍｌに比べ、有意に大きな値を示している。
前記マイナスイオン発生量は、以下のように測定した。
機器：エコ・ホリスティック社製  ＥＢ−１２Ａ型マイナスイオンカウンター
方法：薬包紙上に試料１．０ｇを広げて置き、さらにその上を薬包紙で覆った状態とし、試料全体を薄く均一に延ばす。その上に測定器を置き測定した。
なお、室内雰囲気については、単に空中に保持しつつ測定した。
測定は各３回行い、平均値を算出した。（単位はｉｏｎ（個）／ｍｌ）
【００１１】
ちなみに、トルマリンは、２１ｉｏｎ／ｍｌであり、有意にマイナスイオンを発生しているものとは言えず、植物の細胞活性化機能も乏しいことが分った。また、前記イオナイトの他に、（株）エコホリスティック社製マイナスイオンセラミックＭＰ−０２等のイオン発生物質についても、４３００ｉｏｎ／ｍｌ程度の高濃度のマイナスイオンが発生していることが分り、イオナイト同様に植物の細胞活性化機能を発揮することが確認されている。
【００１２】
【実施例】
以下に本発明の実施例を図面に基づいて説明する。
上述の植物用散水ホースを用いて、下記条件にて植物苗を栽培したところ、図２，３に示すように、植物の成長度が大きく異なることが分かった。
【００１３】
0003566702.tif 000002
ホース：外径２４ｍｍ、内径８ｍｍ、内面層厚さ１．７ｍｍ、内面層のイオナイト含有率３ｗｔ％、ホース長２０ｍ、各品種１４ポット。
通水量：通水速度、散水量は、一般的な栽培方法（３Ｌ／ｍｉｎ程度の水量でポット全体が湿る程度に１日１回水をまく）に準じる。
栽培：９／２７−１０／２９
【００１４】
ここで、図３に示す植物の成長度は、それぞれの植物についての、最大茎長の平均値Ａと、平均分枝数Ｂとを求め、それらを乗算して求めた数値ＧＩにより評価したものである。
【００１５】
また、これらの植物用散水ホースの断片を水中に浸漬し、その水質に対する影響をｐＨの推移として捉えて調べたところ、図４に示すようになり、植物の成長度と、前記植物用散水ホースの水質への影響との間には相関関係がみられることがわかり、有意な差のみられるイオナイト含有量は３ｗｔ％以上であることが読みとれる。
また、前記植物用散水ホースの断片に含まれるイオナイト量と発生するイオン量との関係を調べたところ、図５のようになり、イオナイト含有量の増加によるマイナスイオン発生量の増加は、ほぼ２０ｗｔ％で飽和することが分り、内面層におけるイオナイトの含有量としては、３〜２０ｗｔ％が好ましいことが分る。
【００１６】
ここで、上述の試験は上述の実施の形態において内面層を構成したＥＰＤＭに、所定量のイオナイトを含有させてあるゴム材料から２０×５０×２ｍｍのシート状に形成してあるゴムシート材を用い、水質への影響を調べる場合には、前記ゴムシート材を２００ｍｌのイオン交換水に浸漬し、ｐＨ計によってその酸性度の推移を測定したものであり、マイナスイオン発生量についても、前記ゴムシート材からのイオン発生量を前記マイナスイオンカウンターで測定したものである。
【００１７】
〔別実施の形態〕
上述の実施の形態においては植物用散水ホースの形態として補強層を含む３層構成のものを示したが、さらに多層の構成であってもよく、通水と接触する少なくとも内面側にイオナイトを含有する層を設けて有ればよい。また、各層を構成するゴム材料や樹脂材料についても、いずれの層についても上述の材料に代えてＰＶＣ、ＥＰＤＭ等の各種樹脂材料や、天然ゴム、ＳＢＲ等各種合成ゴム等、種々の材料及びその混合組成物を利用する事ができる。
【図面の簡単な説明】
【図１】本発明の植物用散水ホース一部破断側面図
【図２】本発明の植物用散水ホースによる植物の成長度の向上を示す図
【図３】本発明の植物用散水ホースによる植物の成長度の向上を示すグラフ
【図４】イオナイト含有量による水質への影響を示す図
【図５】イオナイト含有量によるイオン発生量への影響を示す図
【図１】
0003566702.tif 000003
【図２】
0003566702.tif 000004
【図３】
0003566702.tif 000005
【図４】
0003566702.tif 000006
【図５】
0003566702.tif 000007